(57)【要約】【課題】複数の質問器を備えるタグシステムにおいて、２つ以上の質問器からの質問信号を受信する位置にタグが存在する場合に、そのタグが、それら質問器のうちのいずれの質問器に最も近い位置に存在するかを特定したい。【解決手段】一般に、２つ以上の質問器それぞれにおける搬送波の送信強度が互いに等しい場合において、タグが、それら質問器からの搬送波を受信するとき、タグにおける搬送波の受信強度の最も高い搬送波を送信した質問器が、そのタグに最も近い質問器であると考えられる。  本発明に係る質問器のそれぞれは、所定単位時間内に搬送波を実質的に同一強度で送信する送信部を有し、タグは、単位時間内に受けた搬送波の中で受信強度の最も強い送信波を送信した質問器を特定する特定部を有する。  このことにより、タグは、自器に最も近い質問器を特定することができる。【選択図】図９
2013070238.tif 000002
【特許請求の範囲】
【請求項１】
所定単位期間内に搬送波を実質的に同一強度で送信する送信部を有する複数の質問器と、
前記単位期間内に受けた搬送波の中で受信強度の最も強い搬送波を送信した質問器を特定する特定部と、前記特定に応じて自器からの送信を制御する出力部とを有するタグとを備える
ことを特徴とするタグシステム。
【請求項２】
前記出力部は、前記送信の制御を、前記特定部によって特定された質問器を識別する情報を送信内容に含んで送信するように行う
ことを特徴とする請求項１記載のタグシステム。
【請求項３】
前記出力部は、前記送信の制御を、前記特定部によって特定された質問器が所定の質問器である場合に送信し、前記特定部によって特定された質問器が所定の質問器でない場合に送信しないように行う
ことを特徴とする請求項１記載のタグシステム。
【請求項４】
所定単位期間内に搬送波を実質的に同一強度で送信する送信部を有する複数の質問器と、
前記単位期間内に受けた搬送波それぞれについての受信強度に係る情報を送信する強度送信部を有するタグと、
前記強度送信部から送信された受信強度に係る情報に基づいて、前記タグの位置を特定する特定部を有する管理装置とを備える
ことを特徴とするタグシステム。
【請求項５】
前記管理装置は、前記特定部によって特定されたタグの位置に応じて外部機器を制御する外部機器制御部を有する
ことを特徴とする請求項４記載のタグシステム。
【請求項６】
一の質問器における前記送信部は、前記搬送波の送信を、変調されていない搬送波を前記実質的に同一強度で送信する無変調送信期間と、変調されている搬送波を送信する変調送信期間とを、前記単位期間内において別々に存在させるように行い、さらに、当該送信部の行う送信における無変調送信期間と、当該送信部を有する質問器以外の質問器の行う送信における無変調送信期間との間に、当該送信部の行う送信における変調送信期間が含まれないように行う
ことを特徴とする請求項１又は４記載のタグシステム。
【請求項７】
前記タグシステムは、前記質問器のそれぞれに同期信号を送信する同期信号送信装置を備え、
前記質問器は、
前記同期信号送信装置から送信される同期信号を受信する同期信号受信部と、
前記同期信号受信部が受信した同期信号を利用して、前記送信部が、前記単位期間内に搬送波を送信できるように、前記送信部の行う前記搬送波の送信タイミングを調整するタイミング調整部とを有する
ことを特徴とする請求項１又は４記載のタグシステム。
【請求項８】
前記同期信号送信装置の行う前記同期信号の送信は、伝送経路に信号線を利用するものである
ことを特徴とする請求項７記載のタグシステム。
【請求項９】
前記信号線は、前記質問器のそれぞれに電力を供給する電力線を含む
ことを特徴とする請求項８記載のタグシステム。
【請求項１０】
前記同期信号送信装置の行う前記同期信号の送信は、無線信号を利用するものである
ことを特徴とする請求項７記載のタグシステム。
【請求項１１】
前記複数の質問器の内の１つの質問器は第１種質問器であり、他の質問器は第２種質問器であって、
前記第１種質問器は、前記第２種質問器のそれぞれに同期信号を送信する同期信号送信部を有し、
前記第２種質問器のそれぞれは、
前記第１種質問器から送信される同期信号を受信する同期信号受信部と、
前記同期信号受信部が受信した同期信号を利用して、前記送信部が、前記単位期間内に搬送波を送信できるように、前記送信部の行う前記搬送波の送信タイミングを調整するタイミング調整部とを有する
ことを特徴とする請求項１又は４記載のタグシステム。
【請求項１２】
前記送信部は、前記搬送波の送信を、変調されていない搬送波を送信する無変調送信期間を含んで行い、
前記タイミング調整部は、前記送信タイミングの調整を、前記質問器のそれぞれに含まれる前記送信部のそれぞれにおける無変調送信期間が、互いに重ならないように行う
ことを特徴とする請求項７又は１１記載のタグシステム。
【請求項１３】
前記タイミング調整部は、前記送信タイミングの調整を、前記質問器のそれぞれに含まれる送信部のそれぞれにおける無変調送信期間の直前に、前記質問器のそれぞれに含まれるいずれの送信部からも、搬送波が送信されない期間が存在するように行う
ことを特徴とする請求項１２記載のタグシステム。
【請求項１４】
前記送信部は、前記搬送波の送信を、さらに、無変調送信期間の直前に、一定の識別情報が含まれるように変調されている搬送波を送信するパイロット信号送信期間が存在するように行い、
前記タイミング調整部は、前記送信タイミングの調整を、前記質問器のそれぞれに含まれる前記送信部のそれぞれにおける無変調送信期間とパイロット信号送信期間とのいずれもが、互いに重ならなくなるように行う
ことを特徴とする請求項１２記載のタグシステム。
【請求項１５】
前記送信部は、前記搬送波の送信を、さらに、無変調送信期間の直前に、自送信部を含む質問器の質問器識別情報が含まれるように変調されている搬送波を送信する識別情報送信期間が存在するように行い、
前記タイミング調整部は、前記送信タイミングの調整を、前記質問器のそれぞれに含まれる前記送信部のそれぞれにおける無変調送信期間と識別情報送信期間とのいずれもが、互いに重ならないように行う
ことを特徴とする請求項１２記載のタグシステム。
【請求項１６】
前記送信部は、前記搬送波の送信を、変調されていない搬送波を送信する無変調送信期間と、変調されている搬送波を送信する変調送信期間とが、前記単位期間内において別々に存在するように行い、
一の質問器における前記タイミング調整部は、前記送信タイミングの調整を、当該タイミング調整部を有する質問器に含まれる送信部の行う送信における無変調送信期間が、当該タイミング調整部を有する質問器以外の質問器の行う送信における変調送信期間の全てを含むように行う
ことを特徴とする請求項７又は１１記載のタグシステム。
【請求項１７】
前記質問器それぞれにおける前記送信部のそれぞれは、最大出力能力が互いに略等しく、
前記送信部は、前記搬送波の送信を、最大出力で行う
ことを特徴とする請求項１又は請求項４記載のタグシステム。
【請求項１８】
前記質問器は、自器の設定状態が、送信抑制状態の場合に、前記送信部の行う前記送信を抑制する送信抑制部を有する
ことを特徴とする請求項１又は４記載のタグシステム。
【発明の詳細な説明】
【技術分野】
【０００１】
本発明は、タグと複数の質問器とを備えるタグシステムに関する。
【背景技術】
【０００２】
従来、複数の質問器と、質問器から送信される質問信号に呼応して応答信号を送信するタグとを備えるタグシステムが知られている（例えば、特許文献１参照）。
【先行技術文献】
【特許文献】
【０００３】
【特許文献１】特開２０１０−１６５１９１号公報
【発明の概要】
【発明が解決しようとする課題】
【０００４】
ところで、複数の質問器を備えるタグシステムの中には、タグから応答信号が送信された場合に、その応答信号がいずれの質問器から送信される質問信号に呼応したものであるかを調べることで、そのタグの位置を特定し、特定したタグの位置に応じて、システムの行う動作を切り替えるものがある。一例として、複数の机のそれぞれに質問器を備え、それら机うちのいずれの机の近傍にタグが存在するかを特定し、近傍にタグの存在が特定される机の照明器具に限って点灯状態となるように、それぞれの机の照明器具を制御するというタグシステムがある。
【０００５】
このようなタグシステムでは、２つ以上の質問器からの質問信号を受信する位置にタグが存在する場合には、そのタグは、それら質問信号のそれぞれに呼応して、それぞれ応答信号を送信することとなる。このことによって、このタグシステムは、そのタグが、それら質問器群の近傍に存在することは特定できるが、それら質問器群のうちのいずれの質問器に最も近い位置に存在するかを特定することはできない。
【０００６】
そこで本発明は、係る問題に鑑みてなされたものであり、タグが２つ以上の質問器からの質問信号を受信する場合において、それら質問器群のうちのいずれの質問器に最も近いかを特定することができるタグシステムを提供することを目的とする。
【課題を解決するための手段】
【０００７】
上記課題を解決するために本発明に係るタグシステムは、所定単位期間内に搬送波を実質的に同一強度で送信する送信部を有する複数の質問器と、前記単位期間内に受けた搬送波の中で受信強度の最も強い搬送波を送信した質問器を特定する特定部と、前記特定に応じて自器からの送信を制御する出力部とを有するタグとを備えることを特徴とする。
また、前記出力部は、前記送信の制御を、前記特定部によって特定された質問器を識別する情報を送信内容に含んで送信するように行うとしても構わない。
【０００８】
また、前記出力部は、前記送信の制御を、前記特定部によって特定された質問器が所定の質問器である場合に送信し、前記特定部によって特定された質問器が所定の質問器でない場合に送信しないように行うとしても構わない。
上記課題を解決するために本発明に係るタグシステムは、所定単位期間内に搬送波を実質的に同一強度で送信する送信部を有する複数の質問器と、前記単位期間内に受けた搬送波それぞれについての受信強度に係る情報を送信する強度送信部を有するタグと、前記強度送信部から送信された受信強度に係る情報に基づいて、前記タグの位置を特定する特定部を有する管理装置とを備えることを特徴とする。
【０００９】
また、前記管理装置は、前記特定部によって特定されたタグの位置に応じて外部機器を制御する外部機器制御部を有するとしても構わない。
また、一の質問器における前記送信部は、前記搬送波の送信を、変調されていない搬送波を前記実質的に同一強度で送信する無変調送信期間と、変調されている搬送波を送信する変調送信期間とを、前記単位期間内において別々に存在させるように行い、さらに、当該送信部の行う送信における無変調送信期間と、当該送信部を有する質問器以外の質問器の行う送信における無変調送信期間との間に、当該送信部の行う送信における変調送信期間が含まれないように行うとしても構わない。
【００１０】
また、前記タグシステムは、前記質問器のそれぞれに同期信号を送信する同期信号送信装置を備え、前記質問器は、前記同期信号送信装置から送信される同期信号を受信する同期信号受信部と、前記同期信号受信部が受信した同期信号を利用して、前記送信部が、前記単位期間内に搬送波を送信できるように、前記送信部の行う前記搬送波の送信タイミングを調整するタイミング調整部とを有するとしても構わない。
【００１１】
また、前記同期信号送信装置の行う前記同期信号の送信は、伝送経路に信号線を利用するものであるとしても構わない。
また、前記信号線は、前記質問器のそれぞれに電力を供給する電力線を含むとしても構わない。
また、前記同期信号送信装置の行う前記同期信号の送信は、無線信号を利用するものであるとしても構わない。
【００１２】
また、前記複数の質問器の内の１つの質問器は第１種質問器であり、他の質問器は第２種質問器であって、前記第１種質問器は、前記第２種質問器のそれぞれに同期信号を送信する同期信号送信部を有し、前記第２種質問器のそれぞれは、前記第１種質問器から送信される同期信号を受信する同期信号受信部と、前記同期信号受信部が受信した同期信号を利用して、前記送信部が、前記単位期間内に搬送波を送信できるように、前記送信部の行う前記搬送波の送信タイミングを調整するタイミング調整部とを有するとしても構わない。
【００１３】
また、前記送信部は、前記搬送波の送信を、変調されていない搬送波を送信する無変調送信期間を含んで行い、前記タイミング調整部は、前記送信タイミングの調整を、前記質問器のそれぞれに含まれる前記送信部のそれぞれにおける無変調送信期間が、互いに重ならないように行うとしても構わない。
また、前記タイミング調整部は、前記送信タイミングの調整を、前記質問器のそれぞれに含まれる送信部のそれぞれにおける無変調送信期間の直前に、前記質問器のそれぞれに含まれるいずれの送信部からも、搬送波が送信されない期間が存在するように行うとしても構わない。
【００１４】
また、前記送信部は、前記搬送波の送信を、さらに、無変調送信期間の直前に、一定の識別情報が含まれるように変調されている搬送波を送信するパイロット信号送信期間が存在するように行い、前記タイミング調整部は、前記送信タイミングの調整を、前記質問器のそれぞれに含まれる前記送信部のそれぞれにおける無変調送信期間とパイロット信号送信期間とのいずれもが、互いに重ならなくなるように行うとしても構わない。
【００１５】
また、前記送信部は、前記搬送波の送信を、さらに、無変調送信期間の直前に、自送信部を含む質問器の質問器識別情報が含まれるように変調されている搬送波を送信する識別情報送信期間が存在するように行い、前記タイミング調整部は、前記送信タイミングの調整を、前記質問器のそれぞれに含まれる前記送信部のそれぞれにおける無変調送信期間と識別情報送信期間とのいずれもが、互いに重ならないように行うとしても構わない。
【００１６】
また、前記送信部は、前記搬送波の送信を、変調されていない搬送波を送信する無変調送信期間と、変調されている搬送波を送信する変調送信期間とが、前記単位期間内において別々に存在するように行い、一の質問器における前記タイミング調整部は、前記送信タイミングの調整を、当該タイミング調整部を有する質問器に含まれる送信部の行う送信における無変調送信期間が、当該タイミング調整部を有する質問器以外の質問器の行う送信における変調送信期間の全てを含むように行うとしても構わない。
【００１７】
また、前記質問器それぞれにおける前記送信部のそれぞれは、最大出力能力が互いに略等しく、前記送信部は、前記搬送波の送信を、最大出力で行うとしても構わない。
また、前記質問器は、自器の設定状態が、送信抑制状態の場合に、前記送信部の行う前記送信を抑制する送信抑制部を有するとしても構わない。
【発明の効果】
【００１８】
一般に、２つ以上の質問器それぞれにおける搬送波の送信強度が互いに等しい場合において、タグが、それら質問器からの搬送波を受信するとき、タグにおける搬送波の受信強度の最も高い搬送波を送信した質問器が、そのタグに最も近い質問器であると考えられる。
このことにより、上述の構成を備える本発明に係るタグシステムにおいて、タグは、２つ以上の質問器からの搬送波を受信する場合に、それらの質問器のうち、いずれが最もタグに近い質問器であるかを特定することとなる。そして、タグは、この特定に応じて自器からの送信を制御する。
【００１９】
従って、このタグシステムは、タグが２つ以上の質問器からの質問信号を受信する場合において、それら質問器群のうちのいずれの質問器に最も近いかを特定することができる。
【図面の簡単な説明】
【００２０】
【図１】居室１３０の概略構成図
【図２】質問器１００の主要な回路構成を示す回路図
【図３】タグ３００の主要な回路構成を示す回路図
【図４】経過時間対応表４００のデータ構成図
【図５】受信装置１２１の主要な回路構成を示す回路図
【図６】対応表６００のデータ構成図
【図７】（ａ）変調されていない信号のタイミングチャート、（ｂ）変調されている信号のデータ構成図
【図８】基準信号と強度測定用信号と質問信号とのタイミングチャート
【図９】応答処理のフローチャート
【図１０】所在確認処理のフローチャート
【図１１】変形応答信号１１２０のデータ構成図
【図１２】変形応答処理のフローチャート
【図１３】第１変形所在確認処理のフローチャート
【図１４】（ａ）扉１４７０の内側付近の概略構成図、（ｂ）扉１４７０の外側付近の概略構成図
【図１５】第２変形所在確認処理のフローチャート
【発明を実施するための形態】
【００２１】
＜実施の形態１＞
＜概要＞
以下、本発明に係るタグシステムの一実施形態として、複数の質問器と、質問器から送信される質問信号に呼応して応答信号を送信する複数のタグとからなるプレゼンス管理システムについて説明する。
【００２２】
このプレゼンス管理システムは、質問器と卓上照明とが配置されている複数の机が設置されているオフィスの一室で運用されており、タグを所有するユーザが着席している机を特定し、この特定に基づいて、机に配置されている卓上照明の点灯状態等を制御する。
以下、本実施の形態１に係るプレゼンス管理システムの構成について、図面を参照しながら説明する。
【００２３】
＜構成＞
図１は、本実施の形態１に係るプレゼンス管理システムが運用されている、オフィスの一室である居室１３０の概略構成図である。
同図に示されるように、居室１３０には、１２脚の机と１２脚の椅子とサーバ１２０とＵＨＦ受信装置１２１と照明制御装置１２２とエアコン１２３とネットワーク１２４とが設置されている。そして、それぞれの机の上には、それぞれ１台の質問器と１台の卓上照明とが配置されている。
【００２４】
居室１３０で運用されているプレゼンス管理システムは、サーバ１２０と受信装置１２１と照明制御装置１２２とエアコン１２３とネットワーク１２４と質問器１００〜質問器１１１と卓上照明１５０〜卓上照明１６１と複数のタグ（図１には図示せず）とから構成されている。
ネットワーク１２４は、サーバ１２０と受信装置１２１と照明制御装置１２２とエアコン１２３と質問器１００〜質問器１１１とに接続され、これら接続される機器間の通信に用いられる信号を有線で伝達する機能を有する。
【００２５】
質問器１００〜質問器１１１のそれぞれは、ネットワーク１２４に接続され、以下の３つの機能を有する。
通信機能：ネットワーク１２４を介してサーバ１２０と通信する機能。
搬送波送信機能：サーバ１２０から送信される同期信号に同期して、変調されていないＬＦ（Low Frequency）帯（例えば１３５ＫＨｚ）の搬送波を送信する機能。
【００２６】
質問信号送信機能：サーバ１２０から送信される同期信号に同期して、変調されているＬＦ帯の質問信号（後述）を送信する機能。
質問器１００〜質問器１１１は、いずれも同様の構成を備え、同様の機能を有している。よって、以後、質問器１００〜質問器１１１に共通する事項を説明する場合には、これらの質問器を代表して質問器１００のみについて説明する。
【００２７】
図２は、質問器１００の主要な回路構成を示す回路図である。
同図に示されるように、質問器１００は、ＣＰＵ（Central Processing Unit）２１０とＬＦ帯アンテナ２２０とＬＦ帯送信回路２３０とメモリ２４０とタイマ２５０と通信回路２６０と電池２７０とから構成される。
ＬＦ帯アンテナ２２０は、ＬＦ帯送信回路２３０に接続される、例えばコイルであって、ＬＦ帯信号の送信に利用される。
【００２８】
ＬＦ帯送信回路２３０は、ＣＰＵ２１０とＬＦ帯アンテナ２２０とに接続され、ＣＰＵ２１０によって制御され、以下の２つの機能を有する。
機能１：ＣＰＵ２１０から送られてくる信号を、ＬＦ帯の信号に変調する機能。
機能２：変調したＬＦ帯の信号を、ＬＦ帯アンテナ２２０を用いて外部に出力する機能。
【００２９】
メモリ２４０は、ＣＰＵ２１０に接続され、ＲＡＭ（Random Access Memory）とＲＯＭ（Read Only Memory）と着脱可能なフラッシュメモリとからなり、ＣＰＵ２１０の動作を規定するプログラムとＣＰＵ２１０が利用するデータとを記憶する。
また、メモリ２４０は、自質問器の質問器識別子を記憶している。
タイマ２５０は、ＣＰＵ２１０に接続され、ＣＰＵ２１０によって制御され、時間を計測する機能を有する。
【００３０】
通信回路２６０は、ＣＰＵ２１０とネットワーク１２４とに接続され、ＣＰＵ２１０によって制御され、ネットワーク１２４を介してネットワーク１２４に接続された他の機器と通信する機能を有する。
ＣＰＵ２１０は、ＬＦ帯送信回路２３０とメモリ２４０とタイマ２５０と通信回路２６０とに接続され、メモリ２４０が記憶するプログラムを実行することで、ＬＦ帯送信回路２３０とメモリ２４０とタイマ２５０と通信回路２６０とを制御して、質問器１００に様々な機能（例えば、通信機能、搬送波送信機能、質問信号送信機能等）を実現させる。
【００３１】
電池２７０は、タグリーダ１１０を構成する電子部品に電力を供給する。
図１に示されていない複数のタグのそれぞれは、プレゼンス管理システムを利用するユーザに携帯されて利用され、以下の３つの機能を有する。
質問信号受信機能：質問器１００〜質問器１１１から送信されるＬＦ帯の質問信号を受信する機能。
【００３２】
応答信号送信機能：受信した質問信号に呼応するＵＨＦ帯の応答信号（後述）を生成して外部に送信する機能。
受信強度測定機能：内蔵するＲＳＳＩ（Received Signal Strength Indication）計測回路（後述）を利用して、受信するＬＦ帯の搬送波の受信強度を測定する機能。
受信強度比較機能：所定期間内（例えば４００ｍｓ：以後、この「例えば４００ｍｓ」のことを、所定時間Ｔ１ともいう。）に受信するＬＦ帯の搬送波のうち、受信強度の最も強い搬送波を特定する機能。
【００３３】
複数のタグのそれぞれは、互いに同様の構成を備え、同様の機能を有している。よって、以後、これらのタグに共通する事項を説明する場合には、これらのタグを代表してタグ３００のみについて説明する。
図３は、タグ３００の主要な回路構成を示す回路図である。
同図に示されるように、タグ３００は、ＣＰＵ３１０とＬＦ帯アンテナ３２０とＬＦ帯受信回路３３０とＵＨＦ（Ultra High Frequency）帯アンテナ３４０とＵＨＦ帯送信回路３５０とメモリ３６０とＲＳＳＩ（Received Signal Strength Indication）計測回路３７０とタイマ３８０と電池３９０とから構成されている。
【００３４】
ＬＦ帯アンテナ３２０は、ＬＦ帯受信回路３３０に接続される、例えば、互いにコイル軸が直交する３つのコイルによって構成され、ＬＦ帯信号の受信に利用される。
ＬＦ帯受信回路３３０は、ＣＰＵ３１０とＲＳＳＩ計測回路３７０とＬＦ帯アンテナ３２０とに接続され、ＣＰＵ３１０によって制御され、以下の２つの機能を有する。
機能１：ＬＦ帯アンテナ３２０を用いて、ＣＲＣ（Cyclic Redundancy Check）チェックをかけてＬＦ帯の信号を受信する機能。
【００３５】
機能２：受信したＬＦ帯の信号が変調されている場合に、その受信したＬＦ帯の信号を復調して、ＣＰＵ３１０へ送る機能。
ＲＳＳＩ計測回路３７０は、ＣＰＵ３１０とＬＦ帯受信回路３３０とに接続され、ＬＦ帯受信回路３３０が受信したＬＦ帯の信号の受信強度を計測する機能を有する。
ＵＨＦ帯アンテナ３４０は、ＵＨＦ帯送信回路３５０に接続される、例えば微小ループアンテナであって、ＵＨＦ帯信号の送信に利用される。
【００３６】
ＵＨＦ帯送信回路３５０は、ＣＰＵ３１０とＵＨＦ帯アンテナ３４０とに接続され、ＣＰＵ３１０によって制御され、以下の２つの機能を有する。
機能１：ＣＰＵ３１０から送られてくる信号を、ＵＨＦ帯の信号に変調する機能。
機能２：変調したＵＨＦ帯の信号を、ＵＨＦ帯アンテナ３４０を用いて外部に出力する機能。
【００３７】
タイマ３８０は、ＣＰＵ３１０に接続され、ＣＰＵ３１０によって制御され、時間を計測する機能を有する。
メモリ３６０は、ＣＰＵ３１０に接続され、ＲＡＭとＲＯＭと着脱可能なフラッシュメモリとからなり、ＣＰＵ３１０の動作を規定するプログラムとＣＰＵ３１０が利用するデータとを記憶する。
【００３８】
また、メモリ３６０は、自器のタグ識別子と、経過時間対応表４００とを記憶している。
図４は、メモリ３６０が記憶する経過時間対応表４００のデータ構造図の一例である。
同図に示されるように、経過時間対応表４００は、質問器識別子４１０と第１経過時間４２０と第２経過時間４３０とが対応付けられて構成されている。
【００３９】
この経過時間対応表４００は、プレゼンス管理システムの初期状態設定時に、システム管理者によって生成されるものであり、メモリ３６０を構成する着脱可能なフラッシュメモリに書き込まれる。
同図において、質問器識別子４１０は、プレゼンス管理システムを構成する質問器それぞれの質問器識別子である。
【００４０】
第１経過時間４２０は、対応付けられている質問器識別子４１０を記憶する質問器が、基準信号（後述）の送信を開始してから、強度測定用信号（後述）の送信を開始するまでの時間をミリ秒単位で示すものである。
第２経過時間４３０は、対応付けられている質問器識別子４１０を記憶する質問器が、基準信号の送信を開始してから、質問信号の送信を開始するまでの時間をミリ秒単位で示すものである。
【００４１】
再び図３に戻り、タグ３００の説明を続ける。
ＣＰＵ３１０は、ＬＦ帯受信回路３３０とＵＨＦ帯送信回路３５０とメモリ３６０とＲＳＳＩ計測回路３７０とに接続され、メモリ３６０が記憶するプログラムを実行することで、ＬＦ帯受信回路３３０とＵＨＦ帯送信回路３５０とＲＳＳＩ計測回路３７０を制御して、タグ３００に様々な機能（例えば、質問信号受信機能、応答信号送信機能、受信強度測定機能、受信強度比較機能等）を実現させる。
【００４２】
電池３９０は、タグ３００を構成する電子部品に電力を供給する。
再び図１に戻り、プレゼンス管理システムの説明を続ける。
受信装置１２１は、ネットワーク１２４に接続され、以下の２つの機能を有する。
応答信号受信機能：タグから送信されるＵＨＦ帯の応答信号を受信する機能。
識別子送信機能：タグから応答信号を受信した場合に、応答信号に含まれる質問器識別子とタグ識別子との組を、ネットワーク１２４を介してサーバ１２０に送信する機能。
【００４３】
図５は、受信装置１２１の主要な回路構成を示す回路図である。
同図に示されるように、受信装置１２１は、ＣＰＵ５１０とＵＨＦ帯アンテナ５２０とＵＨＦ帯受信回路５３０とメモリ５４０と通信回路５５０とタイマ５６０とから構成される。
ＵＨＦ帯アンテナ５２０は、ＵＨＦ帯受信回路５３０に接続される、例えば微小ループアンテナであって、ＵＨＦ帯信号の受信に利用される。
【００４４】
ＵＨＦ帯受信回路５３０は、ＣＰＵ５１０とＵＨＦ帯アンテナ５２０とに接続され、ＣＰＵ５１０によって制御され、以下の２つの機能を有する。
機能１：ＵＨＦ帯アンテナ５２０を用いて、ＣＲＣチェックをかけてＵＨＦ帯の信号を受信する機能。
機能２：受信したＵＨＦ帯の信号を復調して、ＣＰＵ５１０へ送る機能。
【００４５】
メモリ５４０は、ＣＰＵ５１０に接続され、ＲＡＭとＲＯＭと着脱可能なフラッシュメモリとからなり、ＣＰＵ５１０の動作を規定するプログラムとＣＰＵ５１０が利用するデータとを記憶する。
通信回路５５０は、ＣＰＵ５１０とネットワーク１２４とに接続され、ＣＰＵ５１０によって制御され、ネットワーク１２４を介してネットワーク１２４に接続される他の機器と通信する機能を有する。
【００４６】
タイマ５６０は、ＣＰＵ５１０に接続され、ＣＰＵ５１０によって制御され、時間を計測する機能を有する。
ＣＰＵ５１０は、ＵＨＦ帯受信回路５３０とメモリ５４０と通信回路５５０とタイマ５６０とに接続され、メモリ５４０が記憶するプログラムを実行することで、ＵＨＦ帯送信回路５３０とメモリ５４０と通信回路５５０とタイマ５６０を制御して、受信装置１２１に様々な機能（例えば、応答信号受信機能、識別子送信機能等）を実現させる。
【００４７】
再び図１に戻り、プレゼンス管理システムの説明を続ける。
サーバ１２０は、プロセッサとメモリとを内蔵する例えばパーソナルコンピュータであって、ネットワーク１２４に接続され、プロセッサがメモリに記憶されているプログラムを実行することで、以下の５つの機能を実現する。
同期信号送信機能：ネットワーク１２４を介して、質問器１００〜質問器１１１と受信装置１２１とへ、所定時間Ｔ２（例えば１５００ｍｓ）毎に同期信号を送信する機能。
【００４８】
識別子受信機能：ネットワーク１２４を介して受信装置１２１から送信される質問器識別子とタグ識別子との組を受信する機能。
対応表更新機能：受信した質問器識別子とタグ識別子との組を用いて、内蔵するメモリが記憶する対応表６００（後述）を更新する機能。
照明制御機能：内蔵するメモリが記憶する対応表６００を参照して、ネットワーク１２４を介して、照明制御装置１２２へ、照明制御装置１２２を制御する照明制御コマンドを送信する機能。
【００４９】
エアコン制御機能：内蔵するメモリが記憶する対応表６００を参照して、ネットワーク１２４を介して、エアコン１２３へ、エアコン１２３を制御するエアコン制御コマンドを送信する機能。
図６は、サーバ１２０に内蔵されるメモリが記憶する対応表６００のデータ構成図である。
【００５０】
同図に示されるように、対応表６００は、質問器識別子６１０とタグ識別子６２０と照明識別子６３０とエアコン識別子６４０とが対応付けられて構成されている。
同図において、質問器識別子６１０は、プレゼンス管理システムを構成する質問器それぞれの質問器識別子である。
タグ識別子６２０は、対応表６００が更新される直前の所定時間Ｔ２周期内に、受信装置１２１から受信した質問器識別子とタグ識別子との組に含まれるタグ識別子であって、組となる質問器識別子と対応付けられている。
【００５１】
図６の例では、質問器識別子“１０２”とタグ識別子“２０３”とが対応付けられ、質問器識別子“１０４”とタグ識別子“２０１”とタグ識別子“２０９”とが対応付けられている。
照明識別子６３０は、プレゼンス管理システムを構成する卓上照明それぞれの卓上照明識別子であり、エアコン識別子６４０は、エアコン１２３の識別子である。
【００５２】
再び図１に戻り、プレゼンス管理システムの説明を続ける。
照明制御装置１２２は、ネットワーク１２４と、図示していない照明制御信号線を介して卓上照明１５０〜卓上照明１６１とに接続され、以下の機能を有する。
機能：ネットワーク１２４を介してサーバ１２０から送信さる照明制御コマンドに従って、卓上照明１５０〜卓上照明１６１の点灯状態を、それぞれ個別に制御する機能。
【００５３】
卓上照明１５０〜卓上照明１６１のそれぞれは、図示していない照明制御信号線を介して照明制御装置１２２に接続される、例えば電気スタンドであって、照明制御装置１２２によって点灯状態を制御される。
エアコン１２３は、ネットワーク１２４に接続され、ネットワーク１２４を介してサーバ１２０から送信さるエアコン制御コマンドに従って動作する。
【００５４】
以下、上記構成のプレゼンス管理システムにおいて、質問器１００とタグ３００との通信、及びタグ３００と受信装置１２１との通信に使用される通信信号について説明する。
＜通信信号＞
質問器１００は、タグ３００に対して、変調されていないＬＦ帯の基準信号と、変調されていないＬＦ帯の強度測定用信号と、変調されているＬＦ帯の質問信号とを送信する。そして、タグ３００は、受信装置１４１に対して、変調されているＵＨＦ帯の応答信号を送信する。
【００５５】
ここで、変調されていない信号とは、変調されずに出力された搬送波のことをいう。
図７（ａ）は、これらの信号のうち、変調されていない信号のタイミングチャートの一例であり、図７（ｂ）は、これらの信号のうち、変調されている信号のデータ構成図の一例である。
図７（ａ）に示されるように、基準信号７１０は、一例として、送信時間が１０ｍｓとなる変調されていない搬送波が、１０ｍｓの間隔で２回連続する信号である。
【００５６】
強度測定用信号７２０は、一例として、送信時間が１０ｍｓとなる変調されていない搬送波からなる信号である。
なお、ＬＦ帯送信回路２３０の送信強度と、ＬＦ帯受信回路３３０の受信感度とは、基準信号７１０を用いて行う通信距離が一例として１．５ｍ程度になるように、及び強度測定用信号７２０を用いて行う通信距離が一例として１．５ｍ程度となるように、予め設定されている。
【００５７】
ここで、通信距離とは、良好な無線通信を行うことができる球状の領域における半径のことをいう。
また、質問器１００〜質問器１１１のそれぞれは、互いに同じ構成となる質問器であるので、質問器１００〜質問器１１１のそれぞれから送信される強度測定用信号における搬送波の送信強度は、互いに等しいものとなっている。ここでは、質問器１００〜質問器１１１のそれぞれは、強度測定用信号の送信を、最大出力強度で行っている。
【００５８】
図７（ｂ）に示されるように、質問信号７３０は、ＰＲ（PReamble）７３１と質問器識別子７３２とＣＲＣ７３３とから構成される。
ＰＲ７３１は、質問信号７３０の始まりを示す同期信号であり、ＣＲＣ７３３は、質問信号７３０に誤りが発生しているか否かを検出するための信号である。
質問器識別子７３２は、質問信号７３０を送信する質問器が記憶している、自器の質問器識別子である。
【００５９】
ＬＦ帯送信回路２３０の送信強度と、ＬＦ帯受信回路３３０の受信感度とは、質問信号７３０を用いて行う通信距離が一例として１．５ｍ程度になるように予め設定されている。
また、ここでは、質問器１００〜質問器１１１のそれぞれは、質問信号の送信を、最大出力強度で行っている。
【００６０】
応答信号７４０は、ＰＲ７４１と質問器識別子７４２とタグ識別子７４３とＣＲＣ７４４とから構成される。
ＰＲ７４１は、応答信号７４０の始まりを示す同期信号であり、ＣＲＣ７４４は、応答信号７４０に誤りが発生しているか否かを検出するための信号である。
質問器識別子７４２は、応答信号７４０を送信するタグが、応答信号７４０の送信に先立って受信した質問信号に含まれる質問器識別子である。
【００６１】
タグ識別子７４３は、応答信号７４０を送信するタグが記憶している、自器のタグ識別子である。
ＵＨＦ帯送信回路３５０の送信強度と、ＵＨＦ帯受信回路５３０の受信感度とは、応答信号７４０を用いて行う通信距離が一例として２０ｍ程度となるように、予め設定されている。
【００６２】
質問器１００〜質問器１１１のそれぞれは、サーバ１２０から送信される同期信号に同期して、基準信号と強度測定用信号と質問信号とを、それぞれ予め設定された時間間隔で送信するように設定されている。
図８は、質問器１００〜質問器１１１のそれぞれが送信する、基準信号と強度測定用信号と質問信号とのタイミングチャートの一例である。
【００６３】
質問器１００〜質問器１１１のそれぞれは、サーバ１２０から送信される同期信号を互いに同じタイミングで受信し、受信した同期信号に同期して、互いに同じタイミングで基準信号を送信する。
質問器１００〜質問器１１１のそれぞれは、基準信号を送信した後、基準信号送信開始時刻から一例として５０ｍｓ経過すると、質問器１００から順に、一例として２０ｍｓの間隔で強度測定用信号を送信する。そして、基準信号開始時刻から一例として４００ｍｓ経過すると、質問器１００から順に一例として８０ｍｓ間隔で質問信号を送信する。
【００６４】
以下、図面を参照しながら、上記構成のプレゼンス管理システムが行う動作について説明する。
＜動作＞
ここでは、プレゼンス管理システムが行う動作のうち、特徴的な動作である、応答処理と所在確認処理とについて説明する。
【００６５】
＜応答処理＞
応答処理は、タグ３００が行う処理であって、タグ３００が、質問器１００〜質問器１１１のいずれかから送信された質問信号を受信し、受信した質問信号に基づいて応答信号を生成し、生成した応答信号を外部に送信するという処理である。
図９は応答処理のフローチャートである。
【００６６】
応答処理は、タグ３００が起動されることで開始される。
応答処理が開始されると、タグ３００は、質問器１００〜質問器１１１のいずれかから送信される基準信号を受信するまで待機する（ステップＳ９００：Ｎｏを繰り返す）。
タグ３００は、いずれかの質問器から送信される基準信号を受信すると（ステップＳ９００：Ｙｅｓ）、タイマ３８０を初期化して（ステップＳ９１０）、所定時間Ｔ１（例えば４００ｍｓ）と所定時間Ｔ３（例えば１４００ｍｓ）との計測を開始する。
【００６７】
タイマ３８０を初期化すると、タグ３００は、タイマ３８０の初期化後所定時間Ｔ１経過するまでの期間に、１以上の強度測定用信号を受信するか否かを調べる（ステップＳ９２０）。
ステップＳ９２０の処理において、１以上の強度測定用信号を受信した場合に（ステップＳ９２０：Ｙｅｓ）、タグ３００は、それら受信した強度測定用信号のうち、最大の受信強度となる強度測定用信号の受信開始時刻を特定する（ステップＳ９３０）。
【００６８】
ここで、受信開始時刻とは、タイマ初期化時刻からの経過時間のことをいう。
最大の受信強度となる強度測定用信号の受信開始時刻を特定すると、タグ３００は、メモリ３６０が記憶する経過時間対応表４００を参照して、その強度測定用信号を送信した質問器の質問器識別子と、その質問器識別子に対応付けられている第２経過時間とを特定する（ステップＳ９４０）。
【００６９】
その後、タグ３００は、タイマ３８０の初期化時刻からの経過時間が、その特定した第２経過時間となる時刻に、その特定した質問器識別子を含む質問信号を受信するか否かを調べる（ステップＳ９５０）。
ステップＳ９５０の処理において、特定した質問器識別子を含む質問信号を受信した場合に（ステップＳ９５０：Ｙｅｓ）、タグ３００は、自器のタグ識別子とその特定した質問器識別子とを含むＵＨＦ帯の応答信号を生成して、外部に出力する（ステップＳ９６０）。
【００７０】
ステップＳ９２０の処理において、強度測定用信号を受信しなかった場合（ステップＳ９２０：Ｎｏ）と、ステップＳ９５０の処理において、特定した質問器識別子を含む質問信号を受信しなった場合（ステップＳ９５０：Ｎｏ）と、ステップＳ９６０の処理が終了した場合とに、タグ３００は、タイマ３８０の初期化後所定時間Ｔ３が経過するまで待機する（ステップＳ９７０）。
【００７１】
タイマ３８０の初期化後所定時間Ｔ３が経過するまで待機すると、タグ３００は、再びステップＳ９００の処理に戻って、ステップＳ９００以下の処理を繰り返す。
＜所在確認処理＞
所在確認処理は、サーバ１２０と受信装置１２１と質問器１００〜質問器１１１とが協働で行う処理であって、タグ３００の所在位置を特定し、特定したタグの所在位置に基づいて、卓上照明１５０〜卓上照明１６１とエアコン１２３とを制御する処理である。
【００７２】
図１０は所在確認処理のフローチャートである。
所在確認処理は、プレゼンス管理システムが起動されることで開始される。
所在確認処理が開始されると、サーバ１２０が同期信号を送信する（ステップＳ１０００）。そして、質問器１００〜質問器１１１のそれぞれと受信装置１２１とは、互いに同時にサーバ１２０からの同期信号を受信する。以後、サーバ１２０は、所定時間Ｔ２（例えば、１５００ｍｓ）毎に、周期的に同期信号を送信する。
【００７３】
受信装置１２１は、サーバ１２０からの同期信号を受信すると、タイマ５６０を初期化する。
質問器１００〜質問器１１１のそれぞれは、互いに同時にサーバ１２０からの同期信号を受信すると、タイマ２５０を初期化して、互いに同時に基準信号を送信する（ステップＳ１００５）。
【００７４】
その後、質問器１００〜質問器１１１のそれぞれは、それぞれ予め定められたタイミングで、強度測定用信号の送信と質問信号の送信とを行う（ステップＳ１０１０）。
タグ３００は、質問器１００〜質問器１１１のいずれかから送信される、基準信号と強度測定用信号と質問信号とを受信することができる位置に存在する場合に、最大の受信強度となる強度測定用信号を送信した質問器の質問器識別子を含む応答信号を送信する。
【００７５】
一方、タグ３００は、質問器１００〜質問器１１１のいずれかから送信される、基準信号と強度測定用信号と質問信号とを受信することができる位置に存在しない場合には、応答信号を送信することはない。
強度測定用信号と質問信号の送信とが送信されると、受信装置１２１は、タイマ５６０の初期化後所定時間Ｔ３経過するまでの期間に、１以上の応答信号を受信するか否かを調べる（ステップＳ１０１５）。
【００７６】
ステップＳ１０１５の処理において、１以上の応答信号を受信した場合に（ステップＳ１０１５：Ｙｅｓ）、受信装置１２１は、受信した応答信号のそれぞれについて、応答信号に含まれる質問器識別子とタグ識別子との組を、ネットワーク１２４を介してサーバ１２０に送信する。
質問器識別子とタグ識別子との組を１組以上受信すると、サーバ１２０は、それぞれの組におけるタグ識別子を調べて、それらのタグ識別子が、プレゼンス管理システムで用いられているタグを識別するものであることを確認する。そして、それぞれの組における質問器識別子とタグ識別子との対応関係が、対応表６００（図６参照）に反映されるように、対応表６００を更新する（ステップＳ１０２０）。
【００７７】
そして、サーバ１２０は、対応表６００を参照して、エアコン識別子に、ヌル値以外のタグ識別子に対応付けられているため、起動状態となるように、ネットワーク１２４を介してエアコン１２３を制御する（ステップＳ１０２５）。
さらに、サーバ１２０は、対応表６００を参照して、ヌル値以外のタグ識別子に対応付けられている照明識別子で識別される卓上照明に限って点灯状態となるように、ネットワーク１２４を介して照明制御装置１２２を制御する（ステップＳ１０３０）。
【００７８】
ステップＳ１０１５の処理において、応答信号を受信しなかった場合には（ステップＳ１０１５：Ｎｏ）、受信装置１２１は、質問器識別子とタグ識別子との組を、ネットワーク１２４を介してサーバ１２０に送信しない。
すると、サーバ１２０は、同期信号送信後所定時間Ｔ３経過するまでの期間に、質問器識別子とタグ識別子との組を受信せず、全てのタグ識別子がヌル値となるように、対応表６００を更新する（ステップＳ１０３５）。
【００７９】
そして、サーバ１２０は、対応表６００を参照して、エアコン識別子に、ヌル値以外のタグ識別子に対応付けられていないため、停止状態となるように、ネットワーク１２４を介してエアコン１２３を制御する（ステップＳ１０４０）。
さらに、サーバ１２０は、対応表６００を参照して、ヌル値以外のタグ識別子に対応付けられている照明識別子が存在しないため、全ての卓上照明が消灯状態となるように、ネットワーク１２４を介して照明制御装置１２２を制御する（ステップＳ１０４５）。
【００８０】
ステップＳ１０３０の処理が終了した場合、又はステップＳ１０４５の処理が終了した場合には、プレゼンス管理システムは、再びステップＳ９００の処理に戻って、ステップＳ９００以下の処理を繰り返す。
＜考察＞
プレゼンス管理システムによると、それぞれの質問器における強度測定用信号の送信強度が互いに等しいものとなっているため、タグが強度測定用信号を受信した場合に、最大の受信強度となる強度測定用信号を送信した質問器が、そのタグに最も近い質問器となる。
【００８１】
従って、タグは、自器から最も近い位置に存在する質問器を特定する。
＜実施の形態２＞
＜概要＞
以下、本発明に係るタグシステムの一例として、実施の形態１に係るプレゼンス管理システムの一部を変形した、変形プレゼンス管理システムについて説明する。
【００８２】
実施の形態２に係る変形プレゼンス管理システムは、そのハードウエア構成が、実施の形態１に係るプレゼンス管理システムと同様のものとなっているが、実行されるソフトウエアの一部が、実施の形態１に係るプレゼンス管理システムから変形されている。
実施の形態１に係るプレゼンス管理システムは、タグが、１以上の質問器から強度測定用信号を受信した場合に、そのタグが、それら強度測定用信号のうち、最大の受信強度となる強度測定用信号を送信した質問器の質問器識別子を特定する構成の例であった。これに対して、実施の形態２に係る変形プレゼンス管理システムは、タグが、１以上の質問器から強度測定用信号を受信した場合に、サーバが、それら強度測定用信号のうち、最大の受信強度となる強度測定用信号を送信した質問器の質問器識別子を特定する構成の例である。
【００８３】
以下、本実施の形態２に係る変形プレゼンス管理システムについて、実施の形態１に係るプレゼンス管理システムとの相違点を中心に、図面を参照しながら説明する。
＜構成＞
変形プレゼンス管理システムは、実施の形態１に係るプレゼンス管理システムと同様のハードウエア構成となっている。よって、ここでは説明を省略する。また、以下では、変形プレゼンス管理システムのハードウエアを構成する構成要素に係る説明は、特に断りのない限り、実施の形態１に係るプレゼンス管理システムのハードウエアを構成する各構成要素と同じ符号を用いて行う。しかしながら、実行されるソフトウエアの一部が変形されているため、実施の形態１におけるタグ３００が、その機能の一部を変形されて変形タグとなり、実施の形態１における受信装置１２１が、その機能の一部を変形されて変形受信装置となり、実施の形態１におけるサーバ１２０が、その機能の一部を変形されて変形サーバとなっている。
【００８４】
変形タグは、実施の形態１におけるタグ３００から、応答信号送信機能が、以下の変形応答信号送信機能に変形されている。
変形応答信号送信機能：受信した質問信号に呼応するＵＨＦ帯の変形応答信号（後述）を生成して外部に送信する機能。
変形受信装置は、実施の形態１における受信装置１２１から、識別子送信機能が、以下の変形識別子送信機能に変形されている。
【００８５】
変形識別子送信機能：タグから変形応答信号を受信した場合に、受信した変形応答信号を、ネットワーク１２４を介してサーバ１２０に送信する機能。（但し、受信した変形応答信号そのものではなく、パケット形式の信号に変換したものを送信する。）
変形サーバは、実施の形態１におけるサーバ１２０から、識別子受信機能と対応表更新機能とが、それぞれ、以下の変形識別子受信機能と変形対応表更新機能とに変形され、新たに、最大受信強度特定機能が追加されている。
【００８６】
変形識別子受信機能：ネットワーク１２４を介して受信装置１２１から送信される、変形応答信号を受信する機能。
変形対応表更新機能：受信した変形応答信号に含まれるタグ識別子と、その変形応答信号から特定された、最も大きい受信強度値を示す強度測定用信号を送信した質問器の質問器識別子とを対応付けて、内蔵するメモリが記憶する対応表６００を更新する機能。
【００８７】
最大受信強度特定機能：受信した変形応答信号から、その変形応答信号に含まれる受信強度値のうち最も大きい受信強度値を示す強度測定用信号を送信した質問器の質問器識別子を特定する機能。
＜通信信号＞
変形プレゼンス管理システムで利用される通信信号は、実施の形態１に係るプレゼンス管理システムで利用される通信信号から、応答信号が変形応答信号に変形されたものとなっている。
【００８８】
図１１は、変形応答信号１１２０のデータ構成図である。
同図に示されるように、変形応答信号は、ＰＲ１１２１とｎ（ｎは１以上の整数）個の質問器識別子（第１質問器識別子１１２２〜第ｎ質問器識別子１１２４）とｎ個の受信強度値（第１受信強度値１１２５〜第ｎ受信強度値１１２７）とタグ識別子１１２８とＣＲＣ１１２９とから構成される。
【００８９】
ＰＲ１１２１は、変形応答信号１１２０の始まりを示す同期信号であり、ＣＲＣ１１２９は、変形応答信号１１２０に誤りが発生しているか否かを検出するための信号である。
第１質問器識別子１１２２〜第ｎ質問器識別子１１２４のそれぞれは、変形応答信号１１２０を送信する変形タグが、変形応答信号の送信に先立って受信したｎ個の質問信号それぞれに含まれる質問器識別子である。
【００９０】
第１受信強度値１１２５〜第ｎ受信強度値１１２７のそれぞれは、変形応答信号１１２０を送信する変形タグが、変形応答信号の送信に先立って受信したｎ個の強度測定用信号それぞれについての受信強度を示す値である。
ここで、第ｍ質問器識別子と第ｍ受信強度値との関係は、第ｍ受信強度値が、第ｍ質問器識別子によって識別される質問器から送信された強度測定用信号についての受信強度値となる関係になっている。
【００９１】
タグ識別子１１２８は、変形応答信号１１２０を送信する変形タグが記憶している、自器のタグ識別子である。
ＵＨＦ帯送信回路３５０の送信強度と、ＵＨＦ帯受信回路５３０の受信感度とは、変形応答信号１１２０を用いて行う通信距離が一例として２０ｍ程度となるように、予め設定されている。
【００９２】
以下、図面を参照しながら、上記構成の変形プレゼンス管理システムが行う動作について説明する。
＜動作＞
ここでは、変形プレゼンスシステムが行う動作のうち、特徴的な動作である、変形応答処理と第１変形所在確認処理とについて説明する。変形応答処理は、実施の形態１における応答処理の一部の処理が変形されたものであり、第１変形所在確認処理は、実施の形態１における所在確認処理の一部の処理が変形されたものである。
【００９３】
＜変形応答処理＞
変形応答処理は、変形タグが行う処理であって、変形タグが、質問器１００〜質問器１１１のいずれかから送信された質問信号を受信し、受信した質問信号に基づいて変形応答信号を生成し、生成した変形応答信号を外部に送信するという処理である。
図１２は変形応答処理のフローチャートである。
【００９４】
変形応答処理は、変形タグが起動されることで開始される。
ステップＳ１２００の処理〜ステップＳ１２２０の処理は、実施の形態１に係る応答処理におけるステップＳ９００の処理〜ステップＳ９２０の処理に対して、タグ３００を変形タグに読み替え、所定時間Ｔ１を所定時間Ｔ４（例えば４００ｍｓ）に読み替え、所定時間Ｔ３を所定時間Ｔ６（例えば１４００ｍｓ）に読み替えた処理と同等の処理である。よって、ここでは、その説明を省略する。
【００９５】
ステップＳ１２２０の処理において、１以上の強度測定用信号を受信した場合に（ステップＳ１２２０：Ｙｅｓ）、変形タグは、それら受信した強度測定用信号それぞれについて、受信強度の特定と、強度測定用信号の受信開始時刻の特定とを行う（ステップＳ１２３０）。
そして、変形タグは、受信した強度測定用信号のそれぞれについて、経過時間対応表（図６参照）を参照して、強度測定用信号を送信した質問器の質問器識別子と、その質問器識別子に対応付けられている第２経過時間とを特定する（ステップＳ１２４０）。
【００９６】
その後、変形タグは、受信した強度測定用信号のそれぞれについて、タイマ３８０の初期化時刻からの経過時間が、特定した第２経過時間となる時刻に、特定した質問器識別子を含む質問信号を受信するか否かを調べる（ステップＳ１２５０）。
ステップＳ１２５０の処理において、受信した強度測定用信号のそれぞれについて、特定した質問器識別子を含む質問信号を受信した場合に（ステップＳ１２５０：Ｙｅｓ）、変形タグは、受信した強度測定用信号のそれぞれにおける、受信強度値と送信元質問器の質問器識別子と、自器のタグ識別子とを含む変形応答信号を生成して出力する（ステップＳ１２６０）。
【００９７】
ステップＳ１２２０の処理において、１以上の強度測定用信号を受信しなかった場合（ステップＳ１２２０：Ｎｏ）と、ステップＳ１２５０の処理において、受信した強度測定用信号のうちの少なくとも１つの強度測定用信号について、特定した質問器識別子を含む質問信号を受信しなかった場合（ステップＳ１２５０：Ｎｏ）と、ステップＳ１２６０の処理が終了した場合とに、変形タグは、タイマ３８０の初期化後所定時間Ｔ６が経過するまで待機する（ステップＳ１２７０）。
【００９８】
タイマ３８０の初期化後所定時間Ｔ６が経過するまで待機すると、変形タグは、再びステップＳ１２００の処理に戻って、ステップＳ１２００以下の処理を繰り返す。
＜第１変形所在確認処理＞
第１変形所在確認処理は、変形サーバと変形受信装置と質問器１００〜質問器１１１とが協働で行う処理であって、変形タグの所在位置を特定し、特定したタグの所在位置に基づいて、卓上照明１５０〜卓上照明１６１とエアコン１２３とを制御する処理である。
【００９９】
図１３は第１変形所在確認処理のフローチャートである。
第１変形所在確認処理は、変形プレゼンス管理システムが起動されることで開始される。
ステップＳ１３００の処理〜ステップＳ１３１０の処理は、実施の形態１に係る所在確認処理におけるステップＳ１０００の処理〜ステップＳ１０１０の処理に対して、サーバ１２０を変形サーバに読み替え、受信装置１２１を変形受信装置に読み替え、所定時間Ｔ２を所定時間Ｔ５（例えば１５００ｍｓ）に読み替え、所定時間Ｔ３を所定時間Ｔ６に読み替えたものと同等の処理である。よって、ここでは、その説明を省略する。
【０１００】
変形タグは、質問器１００〜質問器１１１のいずれかから送信される、基準信号と強度測定用信号と質問信号とを受信することができる位置に存在する場合に、変形応答信号を送信する。
一方、変形タグは、質問器１００〜質問器１１１のいずれかから送信される、基準信号と強度測定用信号と質問信号とを受信することができる位置に存在しない場合には、変形応答信号を送信することはない。
【０１０１】
強度測定用信号と質問信号の送信とが送信されると、変形受信装置は、タイマ５６０の初期化後所定時間Ｔ６経過するまでの期間に、１以上の変形応答信号を受信するか否かを調べる（ステップＳ１３１５）。
ステップＳ１３１５の処理において、１以上の変形応答信号を受信した場合に（ステップＳ１３１５：Ｙｅｓ）、変形受信装置は、受信した変形応答信号のそれぞれを、パケット形式の信号に変換して、ネットワーク１２４を介して変形サーバへ送信する。
【０１０２】
変形応答信号を受信すると、変形サーバは、受信した変形応答信号のそれぞれについて、タグ識別子を調べて、それらのタグ識別子が、本プレゼンス管理システムで用いられているタグを識別するものであることを確認する。そして、受信した変形応答信号のそれぞれについて、最大の受信強度値を示す強度測定用信号を送信した質問器の質問器識別子を特定する（ステップＳ１３２０）。
【０１０３】
その後、変形サーバは、受信した変形応答信号のそれぞれにおける、タグ識別子と特定された質問器識別子との対応関係が、対応表６００（図６参照）に反映されるように、対応表６００を更新する（ステップＳ１３２３）。
ステップＳ１３２５の処理〜ステップＳ１３３０の処理は、実施の形態１に係る所在確認処理におけるステップＳ１０２５の処理〜ステップＳ１０３０の処理に対して、サーバ１２０を変形サーバに読み替えたものと同等の処理である。よって、ここでは、その説明を省略する。
【０１０４】
ステップＳ１３１５の処理において、変形応答信号を受信しなかった場合には（ステップＳ１３１５：Ｎｏ）、変形受信装置は、パケット形式の信号に変換された変形応答信号を、ネットワーク１２４を介して変形サーバに送信しない。
ステップＳ１３３５の処理〜ステップＳ１３４５の処理は、実施の形態１に係る所在確認処理におけるステップＳ１０３５の処理〜ステップＳ１０４５の処理に対して、サーバ１２０を変形サーバに読み替えたものと同等の処理である。よって、ここでは、その説明を省略する。
【０１０５】
ステップＳ１３３０の処理が終了した場合、又はステップＳ１３４５の処理が終了した場合には、プレゼンス管理システムは、再びステップＳ１３００の処理に戻って、ステップＳ１３００以下の処理を繰り返す。
＜考察＞
変形プレゼンス管理システムによると、それぞれの質問器における、強度測定用信号の送信強度は互いに等しいものとなっているため、変形タグが強度測定用信号を受信した場合に、最大の受信強度となる強度測定用信号を送信した質問器が、その変形タグに最も近い質問器となる。
【０１０６】
従って、変形サーバは、変形タグから最も近い位置に存在する質問器を特定していることとなる。
＜実施の形態３＞
＜概要＞
以下、本発明に係るタグシステムの一例として、実施の形態１に係るプレゼンス管理システムの一部を変形した、電気錠システムについて説明する。
【０１０７】
この電気錠システムは、出入り口となる扉を有する居室で運用されており、扉の内側にタグを所有するタグ所有者が存在する場合において、扉の内側に設置されている解錠スイッチが操作されたときと、扉の外側にタグ所有者が存在する場合において、扉の外側に設置されている解錠スイッチが操作されたときとに限って、その扉に取り付けられている電気錠を解錠するというものである。
【０１０８】
この電気錠システムは、扉の内側にタグ所有者が存在する場合において、扉の外側に設置されている解錠スイッチが操作されたとき、及び扉の外側にタグ所有者が存在する場合において、扉の内側に設置されている解錠スイッチが操作されたときには、その扉に取り付けられている電気錠を解錠することはない。
以下、本実施の形態３に係る電気錠システムの構成について、図面を参照しながら説明する。
【０１０９】
＜構成＞
図１４（ａ）は、本実施の形態３に係る電気錠システムが運用されている居室への出入り口となる扉１４７０の内側付近の概略構成図であり、図１４（ｂ）は、扉１４７０の外側付近の概略構成図である。
図１４（ａ）に示されるように、扉１４７０の内側付近には、壁に、質問器１４１０と解錠スイッチ１４２０と電気錠１４３０とネットワーク１４６０の一部とが設置され、床に、受信装置１４４０とサーバ１４５０とが設置されている。
【０１１０】
図１４（ｂ）に示されるように、扉１４７０の外側付近には、壁に、質問器１４１１と解錠スイッチ１４２１とネットワーク１４６０の一部とが設置されている。
居室で運用されている電気錠システムは、質問器１４１０と質問器１４１１と解錠スイッチ１４２０と解錠スイッチ１４２１と電気錠１４３０と受信装置１４４０とサーバ１４５０とネットワーク１４６０とタグ（図１４に図示されず）とから構成されている。
【０１１１】
ネットワーク１４６０は、質問器１４１０と質問器１４１１と解錠スイッチ１４２０と解錠スイッチ１４２１と電気錠１４３０と受信装置１４４０とサーバ１４５０とに接続され、これら接続される機器間の通信に用いられる信号を有線で伝達する機能を有する。
質問器１４１０と質問器１４１１とは、それぞれ、ネットワーク１４６０に接続され、それぞれ、実施の形態１における質問器１００と同様の構成を備え、同様の機能を有している。よって、ここでは、それらの説明を省略する。
【０１１２】
解錠スイッチ１４２０と解錠スイッチ１４２１とは、それぞれ、ネットワーク１４６０に接続され、押下操作を受け付けるボタンを有する。そして、それぞれ、ボタンが押下された場合に、自器においてボタンが押下された旨の信号を、ネットワーク１４６０を介してサーバ１４５０へ送信する機能を有する。
受信装置１４４０は、ネットワーク１４６０に接続され、実施の形態１における受信装置１２１と同様の構成を備え、同様の機能を有している。よって、ここでは、その説明を省略する。
【０１１３】
電気錠１４３０は、ネットワーク１４６０に接続され、ネットワーク１４６０を介してサーバ１４５０によって制御され、扉１４７０を施解錠する機能を有する。
サーバ１４５０は、ネットワーク１４６０に接続され、実施の形態１におけるサーバ１２０から、照明制御機能とエアコン制御機能とが削除され、以下の、押下信号受信機能と電気錠制御機能とが追加されるように変形されたものである。
【０１１４】
押下信号受信機能：ネットワーク１４６０を介して、解錠スイッチ１４２０と解錠スイッチ１４２１とから送信される、自器においてボタンが押下された旨の信号を受信する機能。
電気錠制御機能：ネットワーク１４６０を介して、電気錠１４３０の施解錠状態を制御する機能。
【０１１５】
タグは、実施の形態１におけるタグ３００と同様の構成を備え、同様の機能を有している。よって、ここでは、その説明を省略する。
以下、図面を参照しながら、上記構成の電気錠システムが行う動作について説明する。
＜動作＞
電気錠システムが行う動作のうち、特徴的な動作として、応答処理と第２変形所在確認処理とがある。このうち、応答処理は、実施の形態１における応答処理と同様の処理であり、第２変形所在確認処理は、実施の形態１における所在確認処理の一部の処理が変形された処理である。よって、ここでは第２変形所在確認処理について、その説明を行う。
【０１１６】
＜第２変形所在確認処理＞
第２変形所在確認処理は、サーバ１４５０と受信装置１４４０と質問器１４１０と質問器１４１１とが協働で行う処理であって、タグの所在位置を特定し、特定したタグの所在位置に基づいて、電気錠１４３０を制御する処理である。
図１５は第２変形所在確認処理のフローチャートである。
【０１１７】
ステップＳ１５００の処理〜ステップＳ１５１０の処理は、実施の形態１に係る所在確認処理におけるステップＳ１０００の処理〜ステップＳ１０１０の処理に対して、サーバ１２０をサーバ１４５０に読み替え、受信装置１２１を受信装置１４４０に読み替え、質問器１００〜質問器１１１を質問器１４１０〜質問器１４１１に読み替え、所定時間Ｔ２を所定時間Ｔ７（例えば１５００ｍｓ）に読み替え、所定時間Ｔ３を所定時間Ｔ８（例えば１４００ｍｓ）に読み替えたものと同等の処理である。よって、ここでは、その説明を省略する。
【０１１８】
タグは、質問器１４１０〜質問器１４１１のいずれかから送信される、基準信号と強度測定用信号と質問信号とを受信することができる位置に存在する場合に、応答信号を送信する。
ここで、タグの所有するユーザが、扉１４７０の内側において質問器１４１０の近傍にいる場合に、質問器１４１０からの質問信号を受信すると共に、扉１４７０の外側にある質問器１４１１からの質問信号をも受信してしまうことがある。これは、質問器１４１１から送信される質問信号が、壁又は扉を透過してタグにまで到達してしまうことによって生じる。同様に、タグの所有するユーザが、扉１４７０の外側において質問器１４１１の近傍にいる場合に、質問器１４１１からの質問信号を受信すると共に、扉１４７０の内側にある質問器１４１０からの質問信号をも受信してしまうことがある。
【０１１９】
一方、タグは、質問器１４１０〜質問器１４１１のいずれかから送信される、基準信号と強度測定用信号と質問信号とを受信することができる位置に存在しない場合には、応答信号を送信することはない。
強度測定用信号と質問信号の送信とが送信されると、受信装置１４４０は、タイマ５６０の初期化後所定時間Ｔ８（例えば、１４００ｍｓ）の経過を上限に、応答信号を受信するか否かを調べる（ステップＳ１５２０）。
【０１２０】
ステップＳ１５２０の処理において、応答信号を受信した場合に（ステップＳ１５２０：Ｙｅｓ）、受信装置１４４０は、受信した応答信号に含まれる質問器識別子とタグ識別子との組を、ネットワーク１４６０を介してサーバ１４５０に送信する。
質問器識別子とタグ識別子との組を受信すると、サーバ１４５０は、そのタグ識別子を調べて、そのタグ識別子が、本電気錠システムで用いられているタグを識別するものであることを確認する。そして、その質問器識別子が、扉１４７０の内側に設置されている質問器１４１０を識別するものであるか否かを調べる（ステップＳ１５３０）。
【０１２１】
ステップＳ１５３０の処理において、質問器識別子が、扉１４７０の内側に設置されている質問器１４１０を識別するものである場合に（ステップＳ１５３０：Ｙｅｓ）、サーバ１４５０は、タイマ５６０の初期化後所定時間Ｔ９（例えば、１０ｓ）経過するまでの期間に、扉１４７０の内側に設置されている解錠スイッチ１４２０のボタンが押下操作されたか否かを調べる（ステップＳ１５４０）。
【０１２２】
ステップＳ１５３０の処理において、質問器識別子が、扉１４７０の内側に設置されている質問器１４１０を識別するものでない場合に（ステップＳ１５３０：Ｎｏ）、サーバ１４５０は、タイマ５６０の初期化後所定時間Ｔ９経過するまでの期間に、扉１４７０の外側に設置されている解錠スイッチ１４２１のボタンが押下操作されたか否かを調べる（ステップＳ１５５０）。なお、ステップＳ１５３０の処理において、質問器識別子が、扉１４７０の内側に設置されている質問器１４１０を識別するものでない場合には、その質問器識別子は、扉１４７０の外側に設置されている質問器１４１１を識別するものとなる。
【０１２３】
ステップＳ１５４０の処理において、解錠スイッチ１４２０のボタンが押下操作された場合（ステップＳ１５４０：Ｙｅｓ）と、ステップＳ１５５０の処理において、解錠スイッチ１４２１のボタンが押下操作された場合（ステップＳ１５５０：Ｙｅｓ）とに、サーバ１４５０は、ネットワーク１４６０を介して電気錠１４３０を制御し、電気錠１４３０を解錠状態とする（ステップＳ１５６０）。
【０１２４】
電気錠１４３０を解錠状態とすると、サーバ１４５０は、電気錠１４３０を解錠状態としてから所定時間Ｔ１０（例えば３０ｓ）の経過を待って、ネットワーク１４６０を介して電気錠１４３０を制御し、電気錠１４３０を施錠状態とする（ステップＳ１５７０）。
ステップＳ１５４０の処理において、解錠スイッチ１４２０のボタンが押下操作されなかった場合（ステップＳ１５４０：Ｎｏ）と、ステップＳ１５５０の処理において、解錠スイッチ１４２１のボタンが押下操作されなかった場合（ステップＳ１５５０：Ｎｏ）と、ステップＳ１５７０の処理が終了した場合に、電気錠システムは、再びステップＳ１５００の処理に戻って、ステップＳ１５００以下の処理を繰り返す。
【０１２５】
＜考察＞
タグの所有するユーザが、扉１４７０の内側において質問器１４１０の近傍にいる場合に、質問器１４１０からの質問信号を受信すると共に、扉１４７０の外側にある質問器１４１１からの質問信号をも受信してしまうことがある。しかしながら、このような場合には、質問器１４１０からの強度測定用信号の受信強度の方が、質問器１４１１からの強度測定用信号の受信強度よりも大きくなるので、タグは、送信する応答信号に、質問器１４１０の質問器識別子を含ませることとなる。
【０１２６】
従って、このような場合において、扉１４７０の外側に設置されている解錠スイッチ１４２０のボタンが押下操作されたとしても、電気錠１４３０が解除されることはない。
＜補足＞
以下、本発明に係るタグシステムの一実施形態として、実施の形態１、実施の形態２、実施の形態３において、３つのタグシステムの例について説明したが、以下のように変形することも可能である。本発明は上述した実施の形態１、実施の形態２、実施の形態３で示した通りの電気錠システムに限られないことはもちろんである。
（１）実施の形態１において、プレゼンス管理システムは、タグが、質問器のいずれかから強度測定用信号と質問信号とを受信した場合に、最も受信強度の高い強度測定用信号を送信した質問器の質問器識別子を含めた応答信号を送信するというものであった。
【０１２７】
これに対して、タグが、応答信号の送信を制限するための応答制限用質問器識別子を記憶する機能を有し、タグが応答信号を送信する条件に、さらに、最も受信強度の高い強度測定用信号を送信した質問器の質問器識別子が、自器の記憶する応答制限用質問器識別子と一致する場合に限って行うという条件を加えてもよい。
このようにすることで、タグは、タグを所有しているタグ所有者が所定の質問器の近傍に存在する場合に限って、応答信号を送信することとなる。
【０１２８】
このことにより、例えば、タグに、応答制限用質問器識別子として、そのタグの所有者の専用机に設置されている質問器の質問器識別子を記憶させておくことで、そのタグ所有者が自分の机に着席している場合に限って、その机の上の卓上照明を点灯するという運用等が可能となる。
また、タグ所有者が自分の机に着席している場合に限って、その机の上の卓上照明を点灯するという運用を実現するために、例えば、サーバ１２０が、卓上照明の制御に係る登録表といったものを予め保持し、それに基づいて卓上照明の制御を行うといった構成の例も考えられる。
【０１２９】
また、タグが応答信号を送信する条件に、さらに、受信強度が一定以上の場合に限って行うという条件を加えてもよい。このようにすることで、座席付近を通過しただけでなく確実に着席した場合に限って照明を点灯させることができるという運用が可能となる。
（２）実施の形態１において、プレゼンス管理システムは、サーバ１２０が質問器のそれぞれに同期信号を送信し、質問器のそれぞれが、受信した同期信号に同期して、基準信号と強度測定用信号と質問信号とを、それぞれ予め設定された時間間隔で送信する構成の例であった。
【０１３０】
しかしながら、質問器のそれぞれが送信する基準信号と強度測定用信号と質問信号とのそれぞれが互いに同期している構成であれば、サーバ１２０が質問器のそれぞれに同期信号を送信する構成に限られる必要はない。例えば、質問器のうちの代表する１つの質問器が、他の質問器のそれぞれに同期信号を送信し、その同期信号を受信する質問器のそれぞれが、受信した同期信号に同期して、基準信号と強度測定用信号と質問信号とを、それぞれ予め設定された時間間隔で送信する構成の例等が考えられる。
（３）実施の形態１において、プレゼンス管理システムは、サーバ１２０と受信装置１２１と照明制御装置１２２とエアコン１２３と質問器１００〜質問器１１１との通信は、有線通信を利用するネットワーク１２４を介してなされる構成の例であった。
【０１３１】
しかしながら、これらの機器が互いに通信することができれば、必ずしも有線通信を利用するネットワーク１２４を介してなされる必要はなく、例えば、これらの機器が、互いに無線通信を行う構成であっても構わない。
これらの機器が無線通信を行う構成の例としては、例えば、これらの機器のそれぞれが、ＵＨＦ送受信部を有し、ＵＨＦ送信部を用いてＵＨＦ帯の無線通信を行う構成等が考えられる。
【０１３２】
また、ネットワーク１２４が有線通信を利用する構成の例として、例えば、ネットワーク１２４に、専用通信ケーブルを用いた構成の例も考えられる。
さらには、質問器のそれぞれが電池２７０を備えずに商用電力線を通じて外部から供給される電力で動作する構成の場合には、ネットワーク１２４の一部に、質問器のそれぞれに電力を供給する商用電力線を用いた構成の例等も考えられる。
（４）実施の形態１において、プレゼンス管理システムは、質問器のそれぞれについて、基準信号の送信と強度測定用信号の送信との間に、なんら信号を送信しない構成の例であった。
【０１３３】
しかしながら、質問器のそれぞれは、自器の送信する、基準信号以外の信号の送信期間と、他質問器の送信する信号の送信期間とが互いに重なることがなければ、強度測定用信号の送信の直前に、予め定められた変調がなされているパイロット信号を送信する構成としても構わない。
このような構成にすることで、タグは、強度測定用信号の受信開始を、比較的容易に検知することができるようになる。
（５）実施の形態１において、プレゼンス管理システムは、質問器のそれぞれについて、基準信号の送信と強度測定用信号の送信との間に、なんら信号を送信しない構成の例であった。
【０１３４】
しかしながら、質問器のそれぞれは、自器の送信する、基準信号以外の信号の送信期間と、他質問器の送信する信号の送信期間とが互いに重なることがなければ、強度測定用信号の送信の直前に、自器の質問器識別子を含む信号を送信する構成としても構わない。
このような構成にすることで、いずれかの質問器から送信された強度測定用信号を受信するタグは、その強度測定用信号がいずれの質問器から送信されたものであるかを、比較的容易に特定することができるようになる。さらには、質問器は、基準信号を送信する必要がなくなり、タグは、タイマでカウントする必要がなくなる。
（６）実施の形態１において、プレゼンス管理システムは、同期信号を受信する質問器の全てが、その同期信号に同期して、基準信号と強度測定用信号と質問信号とを送信する構成の例であった。
【０１３５】
しかしながら、少なくとも１つの質問器が、同期信号に同期して、基準信号と強度測定用信号と質問信号とを送信することができる構成であれば、必ずしも、同期信号を受信する質問器の全てが、これらの信号を送信する構成に限られる必要はない。
例えば、質問器のそれぞれは、プレゼンス管理システムの管理者等によって、送信可能状態と送信抑制状態とのいずれか一方の状態に設定される機能を有し、自器が送信抑制状態に設定されている場合には、これらの信号を送信しない構成の例等が考えられる。
（７）実施の形態１において、プレゼンス管理システムは、基準信号と強度測定用信号と質問信号とがＬＦ帯の信号である構成の例であったが、無線信号であれば、必ずしもＬＦ帯の信号に限られる必要はない。
【０１３６】
但し、これらの信号がＬＦ帯の信号であることで、これらの信号の通信可能距離の絞り込みを比較的容易に実現することができる。
また、実施の形態１において、プレゼンス管理システムは、応答信号がＵＨＦ帯の信号である構成の例であったが、無線信号であれば、必ずしもＵＨＦ帯の信号に限られる必要はない。
【０１３７】
但し、応答信号がＵＨＦ帯の信号であることで、応答信号の送受信に利用される、送信回路、受信回路、アンテナ等を、比較的容易に実現することができる。
（８）実施の形態１におけるプレゼンス管理システム、実施の形態２における変形プレゼンス管理システムにおいて、それぞれの質問器が行う強度測定用信号の送信と質問信号の送信との順序が、図８、図４等に示される順番で行われる構成の例であったが、それぞれの質問器が、それぞれ強度測定用信号と質問信号とを送信することができれば、送信の順序は、必ずしもこの順番に限られる必要はない。
（９）以下、さらに本発明の一実施形態に係る電気錠システムの構成及びその変形例と各効果について説明する。
【０１３８】
（ａ）本発明の一実施形態に係る電気錠システムは、所定単位期間内に搬送波を実質的に同一強度で送信する送信部を有する複数の質問器と、前記単位期間内に受けた搬送波の中で受信強度の最も強い搬送波を送信した質問器を特定する特定部と、前記特定に応じて自器からの送信を制御する出力部とを有するタグとを備えることを特徴とする。
一般に、２つ以上の質問器それぞれにおける搬送波の送信強度が互いに等しい場合において、タグが、それら質問器からの搬送波を受信するとき、タグにおける搬送波の受信強度の最も高い搬送波を送信した質問器が、そのタグに最も近い質問器であると考えられる。
【０１３９】
このことにより、上述の構成を備える本実施の形態に係るタグシステムにおいて、タグは、２つ以上の質問器からの搬送波を受信する場合に、それらの質問器のうち、いずれが最もタグに近い質問器であるかを特定することとなる。そして、タグは、この特定に応じて自器からの送信を制御する。
従って、このタグシステムは、タグが２つ以上の質問器からの質問信号を受信する場合において、それら質問器群のうちのいずれの質問器に最も近いかを特定することができる。
【０１４０】
（ｂ）また、前記出力部は、前記送信の制御を、前記特定部によって特定された質問器を識別する情報を送信内容に含んで送信するように行うとしてもよい。
このような構成にすることによって、タグの出力部から送信された信号を受信する受信装置に、そのタグに最も近い質問器を識別させることができるようになる。
（ｃ）また、前記出力部は、前記送信の制御を、前記特定部によって特定された質問器が所定の質問器である場合に送信し、前記特定部によって特定された質問器が所定の質問器でない場合に送信しないように行うとしてもよい。
【０１４１】
このような構成にすることで、タグの位置検出を、そのタグから最も近い質問器が所定の質問器である場合に限って行うようにすることができるようになる。
（ｄ）本発明の一実施形態に係る電気錠システムは、所定単位期間内に搬送波を実質的に同一強度で送信する送信部を有する複数の質問器と、前記単位期間内に受けた搬送波それぞれについての受信強度に係る情報を送信する強度送信部を有するタグと、前記強度送信部から送信された受信強度に係る情報に基づいて、前記タグの位置を特定する特定部を有する管理装置とを備えることを特徴とする。
【０１４２】
一般に、２つ以上の質問器それぞれにおける搬送波の送信強度が互いに等しい場合において、タグが、それら質問器からの搬送波を受信するとき、タグにおける搬送波の受信強度の最も高い搬送波を送信した質問器が、そのタグに最も近い質問器であると考えられる。
このことにより、上述の構成を備える本発明に係るタグシステムにおいて、管理装置は、タグが２つ以上の質問器からの搬送波を受信する場合に、それらの質問器のうち、いずれが最もそのタグに近い質問器であるかを特定することとなる。
【０１４３】
従って、このタグシステムは、タグが２つ以上の質問器からの質問信号を受信する場合において、それら質問器群のうちのいずれの質問器に最も近いかを特定することができる。
（ｅ）また、前記管理装置は、前記特定部によって特定されたタグの位置に応じて外部機器を制御する外部機器制御部を有するとしてもよい。
【０１４４】
このような構成にするとで、タグの位置に応じた外部機器の制御を行うことができるようになる。
（ｆ）また、一の質問器における前記送信部は、前記搬送波の送信を、変調されていない搬送波を前記実質的に同一強度で送信する無変調送信期間と、変調されている搬送波を送信する変調送信期間とを、前記単位期間内において別々に存在させるように行い、さらに、当該送信部の行う送信における無変調送信期間と、当該送信部を有する質問器以外の質問器の行う送信における無変調送信期間との間に、当該送信部の行う送信における変調送信期間が含まれないように行うとしてもよい。
【０１４５】
このような構成にすることで、タグにおける変調回路の起動状態と停止状態との切り替え回数の増加を抑制することができる。
（ｇ）また、前記タグシステムは、前記質問器のそれぞれに同期信号を送信する同期信号送信装置を備え、
前記質問器は、
前記同期信号送信装置から送信される同期信号を受信する同期信号受信部と、
前記同期信号受信部が受信した同期信号を利用して、前記送信部が、前記単位期間内に搬送波を送信できるように、前記送信部の行う前記搬送波の送信タイミングを調整するタイミング調整部とを有するとしてもよい。
【０１４６】
このような構成にすることで、それぞれの質問器における搬送波の送信のそれぞれを、同期信号送信装置が送信する同期信号に同期したものとすることができる。
（ｈ）また、前記同期信号送信装置の行う前記同期信号の送信は、伝送経路に信号線を利用するものであるとしてもよい。
このような構成にすることによって、同期信号の送信における信頼性の低下を抑制することができる。
【０１４７】
（ｉ）また前記信号線は、前記質問器のそれぞれに電力を供給する電力線を含む、としてもよい。
このような構成にすることによって、同期信号を送信するための信号線の一部に、既に存在している電力線を利用することができる。
（ｊ）また、前記同期信号送信装置の行う前記同期信号の送信は、無線信号を利用するものであるとしてもよい。
【０１４８】
このような構成にすることによって、同期信号の送信の為の信号線が不要となる。
（ｋ）また、前記複数の質問器の内の１つの質問器は第１種質問器であり、他の質問器は第２種質問器であって、前記第１種質問器は、前記第２種質問器のそれぞれに同期信号を送信する同期信号送信部を有し、前記第２種質問器のそれぞれは、前記第１種質問器から送信される同期信号を受信する同期信号受信部と、前記同期信号受信部が受信した同期信号を利用して、前記送信部が、前記単位期間内に搬送波を送信できるように、前記送信部の行う前記搬送波の送信タイミングを調整するタイミング調整部とを有するとしてもよい。
【０１４９】
このような構成にすることで、それぞれの質問器における搬送波の送信のそれぞれを、第１種質問器が送信する同期信号に同期したものとすることができる。
（ｌ）また、前記送信部は、前記搬送波の送信を、変調されていない搬送波を送信する無変調送信期間を含んで行い、前記タイミング調整部は、前記送信タイミングの調整を、前記質問器のそれぞれに含まれる前記送信部のそれぞれにおける無変調送信期間が、互いに重ならないように行うとしてもよい。
【０１５０】
このような構成にすることで、第１質問器から送信される変調されていない第１搬送波と、第２質問器から送信される変調されていない第２搬送波とを受信するタグが存在する場合において、そのタグは、第１搬送波の受信強度の計測と、第２搬送波の受信強度の計測とを、互いに他方の搬送波に干渉されることなく行うことができる。
（ｍ）また、前記タイミング調整部は、前記送信タイミングの調整を、前記質問器のそれぞれに含まれる送信部のそれぞれにおける無変調送信期間の直前に、前記質問器のそれぞれに含まれるいずれの送信部からも、搬送波が送信されない期間が存在するように行うとしてもよい。
【０１５１】
このような構成にすることで、第１質問器から送信される変調されていない第１搬送波と、第２質問器から送信される変調されていない第２搬送波とを受信するタグが存在する場合において、そのタグは、第１搬送波と第２搬送波との区別を、搬送波が送信されない期間を検出することで、比較的容易に行うことがきる。
（ｎ）また、前記送信部は、前記搬送波の送信を、さらに、無変調送信期間の直前に、一定の識別情報が含まれるように変調されている搬送波を送信するパイロット信号送信期間が存在するように行い、前記タイミング調整部は、前記送信タイミングの調整を、前記質問器のそれぞれに含まれる前記送信部のそれぞれにおける無変調送信期間とパイロット信号送信期間とのいずれもが、互いに重ならなくなるように行うとしてもよい。
【０１５２】
このような構成にすることで、タグは、変調されていない搬送波の受信開始を、比較的容易に検知することができる。
（ｏ）また、前記送信部は、前記搬送波の送信を、さらに、無変調送信期間の直前に、自送信部を含む質問器の質問器識別情報が含まれるように変調されている搬送波を送信する識別情報送信期間が存在するように行い、前記タイミング調整部は、前記送信タイミングの調整を、前記質問器のそれぞれに含まれる前記送信部のそれぞれにおける無変調送信期間と識別情報送信期間とのいずれもが、互いに重ならないように行うとしてもよい。
【０１５３】
このような構成にすることで、いずれかの質問器から送信された変調されていない搬送波を受信するタグは、その搬送波がいずれの質問器から送信されたものであるかを、比較的容易に特定することができる。
（ｐ）また、前記送信部は、前記搬送波の送信を、変調されていない搬送波を送信する無変調送信期間と、変調されている搬送波を送信する変調送信期間とが、前記単位期間内において別々に存在するように行い、一の質問器における前記タイミング調整部は、前記送信タイミングの調整を、当該タイミング調整部を有する質問器に含まれる送信部の行う送信における無変調送信期間が、当該タイミング調整部を有する質問器以外の質問器の行う送信における変調送信期間の全てを含むように行うとしてもよい。
【０１５４】
一般に、変調されていない搬送波は、変調されている搬送波への妨害電波として作用する。
このような構成にすることで、それぞれの質問器において、自質問器の送信する変調されていない搬送波を、他質問器が送信する変調された搬送波に対する妨害波として作用させることができる。
【０１５５】
（ｑ）また、前記質問器それぞれにおける前記送信部のそれぞれは、最大出力能力が互いに略等しく、前記送信部は、前記搬送波の送信を、最大出力で行うとしてもよい。
このような構成にすることで、タグにおける搬送波の受信強度を比較的高いものとすることができる。これにより、タグにおける受信強度の測定における雑音の影響を抑制することができる。
【０１５６】
（ｒ）また、前記質問器は、自器の設定状態が、送信抑制状態の場合に、前記送信部の行う前記送信を抑制する送信抑制部を有するとしてもよい。
このような構成にすることで、送信する必要のない質問器を、送信抑制状態にすることで、送信する質問器を、限定することができるようになる。
【符号の説明】
【０１５７】
１００〜１１１  質問器
１２０  サーバ
１２１  受信装置
１２２  照明制御装置
１２３  エアコン
１２４  ネットワーク
１５０〜１６１  卓上照明
３００  タグ
３１０  ＣＰＵ
３２０  ＬＦ帯アンテナ
３３０  ＬＦ帯受信回路
３４０  ＵＨＦ帯アンテナ
３５０  ＵＨＦ帯送信回路
３６０  メモリ
３７０  ＲＳＳＩ計測回路
３８０  タイマ
３９０  電池
【図１】
2013070238.tif 000003
【図２】
2013070238.tif 000004
【図３】
2013070238.tif 000005
【図４】
2013070238.tif 000006
【図５】
2013070238.tif 000007
【図６】
2013070238.tif 000008
【図７】
2013070238.tif 000009
【図８】
2013070238.tif 000010
【図９】
2013070238.tif 000011
【図１０】
2013070238.tif 000012
【図１１】
2013070238.tif 000013
【図１２】
2013070238.tif 000014
【図１３】
2013070238.tif 000015
【図１４】
2013070238.tif 000016
【図１５】
2013070238.tif 000017